(57)【要約】　　　（修正有）【課題】耐溶剤性などの耐久性に極めて優れた封止体（好適にはＯ−リング）を備え、しかも構造が簡易で噴出流の調節が容易かつ使い易い手動式トリガータイプディスペンサーを提供する。【解決手段】容器の開口部に係合する取り付け部を有し、トリガー１３の摺動に連動してピストン１２をシリンダ１７内で往復動させて容器内の液体をシリンダ内の流通路に吸い上げて加圧し、流通路に連続するノズル７の流通路９を経て加圧液をノズルキャップ３のオリフィス４から噴出させる手動式トリガータイプディスペンサーである。ノズルの先端外周には溝８を設け、溝に、ノズルキャップの内周部に密着するポリテトラフルオロエチレン製封止体を設けてなる。【選択図】　図２
0003098230.tif 000002
【実用新案登録請求の範囲】
【請求項１】
容器の開口部に係合する取り付け部を有し、トリガーの摺動に連動してピストンをシリンダ内で往復動させて容器内の液体をシリンダ内の流通路に吸い上げて加圧し、該流通路に連続するノズルの流通路を経て加圧液をノズルキャップのオリフィスから噴出させる手動式トリガータイプディスペンサーにおいて、
ノズルの先端外周に溝を設け、該溝に、ノズルキャップの内周部に密着するポリテトラフルオロエチレン製封止体を設けてなること、を特徴とする前記手動式トリガータイプディスペンサー。
【請求項２】
前記ポリテトラフルオロエチレン製封止体が、前記のノズル先端外周の溝に装着する、ノズルキャップの内周部に密着可能なポリテトラフルオロエチレン製Ｏ−リングである、請求項１に記載の手動式トリガータイプディスペンサー。
【考案の詳細な説明】
【０００１】
【考案の属する技術分野】
本考案は、ノズル先端に耐久性に優れた封止体を備えた手動式トリガータイプディスペンサーに関する。
【０００２】
【従来の技術】
従来、洗剤、糊剤などの容器には、内容物の特性や使用目的などに応じて少量ずつ噴出させることができるように、様々なタイプのポンプやディスペンサーを取り付けて使用されている。
このようなディスペンサーのうち、構造が簡易で噴出流の調節が容易かつ使い易いため、ノズル先端のキャップにオリフィスを設けた手動式トリガータイプのものが実用に供されている。
【０００３】
【考案が解決しようとする課題】
しかしながら、前記従来公知の手動式トリガータイプディスペンサーに使用されるノズル先端のキャップにはシールの目的でＮＢＲ製Ｏ−リングが内蔵されているため、容器の内容物の種類によってはその耐久性が悪く、ノズル先端から液もれを起こすことがあるという問題がある。
【０００４】
本考案は、耐溶剤性などの耐久性に極めて優れた封止体（好適にはＯ−リング）を備え、しかも構造が簡易で噴出流の調節が容易かつ使い易い手動式トリガータイプディスペンサーを提供することを目的とする。
【０００５】
【課題を解決するための手段】
前記課題を解決するため、本考案は、容器の開口部に係合する取り付け部を有し、トリガーの摺動に連動してピストンをシリンダ内で往復動させて容器内の液体をシリンダ内の流通路に吸い上げて加圧し、該流通路に連続するノズルの流通路を経て加圧液をノズルキャップのオリフィスから噴出させる手動式トリガータイプディスペンサーにおいて、ノズルの先端外周に溝を設け、該溝に、ノズルキャップの内周部に密着するポリテトラフルオロエチレン製封止体を設けてなること、を特徴とする前記手動式トリガータイプディスペンサーである。
【０００６】
また本考案は、前記ポリテトラフルオロエチレン製封止体が、前記のノズル先端外周の溝に装着する、ノズルキャップの内周部に密着可能なポリテトラフルオロエチレン製Ｏ−リングである、前記手動式トリガータイプディスペンサーである。
【０００７】
【考案の実施の形態】
以下、本考案の実施の形態を図面に基づいて説明する。
図１は、本考案の一実施例の手動式トリガータイプディスペンサーの（一部想像部分を含む）分解斜視図である。図２は、図１の手動式トリガータイプディスペンサーの一部断面分解斜視図である。
【０００８】
図１に示す本考案の一実施例の手動式トリガータイプディスペンサー１は、トリガー１３の摺動に連動してピストン１２をシリンダ１７内で往復動させて、容器２内の液体をチューブ１９からシリンダ１７内の流通路（図示省略）に吸い上げて加圧し、ノズル７の流通路９を経てノズルキャップ３のオリフィス４から加圧液を噴出させる基本構成である。
【０００９】
チューブ１９の先端には、フィルターを内蔵したフィルターケース２０が設けられている。フィルターは、容器２内の液体中のゴミや沈殿物をろ過する。
チューブ１９の基端には逆止弁（図示省略）が設けられ、シリンダ１７内の（液体）流通路に連結されており、容器２内の液体はチューブ１９を経てシリンダ１７内の流通路に導かれる。
【００１０】
トリガー１３を引くと、トリガー基軸１６を起点として、トリガーピストン軸１５がトリガーシャフト１４に支持されながらトリガー１３と同じ移動方向に摺動する。このトリガーピストン軸１５に連動して、逆止弁（図示省略）を備えたピストン１２がシリンダ１７内をトリガー１３の移動方向に摺動し、トリガー１３の引きを解除すると、シリンダ１７内のスプリングの反発作用により、トリガー１３は元の位置に自動的に戻って、シリンダ１７内に負圧が生じ、容器２内の液体はチューブ１９を通ってシリンダ１７内の流通路に流入する。
【００１１】
ノズル７の先端外周には、Ｏ−リング５を装着する溝８が設けられており、ノズル７の外周には更に、溝８よりピストン１２側に雄ネジ１０が形成されている。ノズル７の内周は、先端部に行くにしたがって次第に狭い形状となっている。ノズル７の内側には、ノズル７から離脱しないように（外周先端部が次第に細くなった形状の）スピナー６が装入されている。ノズル７の内側の流通路９の（スピナー６の）奥にはスプリングが設けられており、スピナー６はスプリングの押出し作用により（狭くなっている）ノズル先端内側に常に押圧されている。
【００１２】
ノズルキャップ３の先端面中心にはオリフィス４が設けられており、ノズルキャップ３の（オリフィス４の反対側の）内周には、ノズル７の雄ネジ１０に螺合する雌ネジ（図示省略）が設けられている。
【００１３】
Ｏ−リング５をノズル７の溝８に装着し、ノズルキャップ３をノズル７に螺合させると、スピナー６の先端がノズルキャップ３の先端面からノズル内に押されて隙間が生じ、流通路９が形成されると共に、溝８にキッチリと装着されたＯ−リング５はノズルキャップ３の内壁に密着して、流通路９から流出する液体がオリフィス４以外（のノズルキャップ３の雌ネジなど）から漏れないようにシールしている。
再度トリガー１３を引くと、シリンダ１７内の流通路の液体が加圧されて流通路９を通り、ノズルキャップ３のオリフィス４から噴出することになる。
【００１４】
容器取り付け部１８の内周には雌ネジが設けられ、パッキンが収納されており、この雌ネジが容器２の雄ネジに螺合して、本考案のディスペンサーを容器に密閉取り付けることができる。
【００１５】
次に、ポリテトラフルオロエチレン製Ｏ−リングをノズル先端（キャップ内）に装着した本考案の手動式トリガータイプディスペンサー（実施例１）とＮＢＲ製Ｏ−リングを装着した手動式トリガータイプディスペンサー（比較例１）とを用いて、容器に下記表１に示す有機溶剤を充填し、１日に２回（午前と午後）スプレーした。
耐溶剤性の結果をまとめて表１に示す。
評価基準
○：３０日間以上Ｏ−リング及びそのシール性に変化なし。
△：５〜３０日間でＯ−リングが溶解或いは変形、変質し、シール性が失われた。
×：５日間未満でＯ−リングが溶解或いは変形、変質し、シール性が失われた。
【００１６】
【表１】
0003098230.tif 000003
【００１７】
【考案の効果】
以上説明した通り、本考案によりはじめて、耐溶剤性などの耐久性に極めて優れた封止体（好適にはＯ−リング）を備え、しかも構造が簡易で噴出流の調節が容易かつ使い易い手動式トリガータイプディスペンサーを提供することが可能となった。
【図面の簡単な説明】
【図１】本考案の一実施例の手動式トリガータイプディスペンサーの（一部想像部分を含む）分解斜視図である。
【図２】図１の手動式トリガータイプディスペンサーの一部断面分解斜視図である。
【符号の説明】
３　ノズルキャップ
４　オリフィス
５　Ｏ−リング
６　スピナー
７　ノズル
８　溝
９　ノズル流通路
１２　ピストン
１３　トリガー
１７　シリンダ
１９　チューブ
【図１】
0003098230.tif 000004
【図２】
0003098230.tif 000005